(57)【要約】【課題】微量ＰＣＢ含有廃棄電気機器を効率よく、安全に処理できるＰＣＢ含有物の処理方法及びＰＣＢ含有物の処理装置の提供。【解決手段】ＰＣＢ含有物に含まれるＰＣＢ含有液を、固定床炉にて５５０℃〜８５０℃で１時間以上加熱して、ＰＣＢ含有物からＰＣＢ含有液とともにＰＣＢを揮発し、除去するＰＣＢ含有物の処理方法、又はＰＣＢ含有物に含まれるＰＣＢ含有液を、連続炉にて５５０℃〜８５０℃で１時間以上加熱して、ＰＣＢ含有物からＰＣＢ含有液とともにＰＣＢを揮発し、除去するＰＣＢ含有物の処理方法である。【選択図】図６
2010115638.tif 000002
【特許請求の範囲】
【請求項１】
ＰＣＢ含有物に含まれるＰＣＢ含有液を、固定床炉にて５５０℃〜８５０℃で１時間以上加熱して、ＰＣＢ含有物からＰＣＢ含有液とともにＰＣＢを揮発し、除去することを特徴とするＰＣＢ含有物の処理方法。
【請求項２】
ＰＣＢ含有物に含まれるＰＣＢ含有液を、連続炉にて５５０℃〜８５０℃で１時間以上加熱して、ＰＣＢ含有物からＰＣＢ含有液とともにＰＣＢを揮発し、除去することを特徴とするＰＣＢ含有物の処理方法。
【請求項３】
８５０℃で４時間〜８時間加熱する請求項１から２のいずれかに記載のＰＣＢ含有物の処理方法。
【請求項４】
ＰＣＢ含有物が電気機器であり、該電気機器がトランス、及びＯＦケーブル（油浸紙絶縁ケーブル）の少なくともいずれかである請求項１から３のいずれかに記載のＰＣＢ含有物の処理方法。
【請求項５】
ＰＣＢ含有物を加熱して揮発処理する固定床炉と、
該固定床炉の上方に、炉内のガスを排出するガス排出口と、
該ガス排出口より下方に、ＰＣＢ含有物を貯留する火格子と、を有するＰＣＢ含有物の処理装置であって、
前記火格子の面が複数の孔を有してなり、該火格子の下方には、固定床炉内を加熱するバーナーが配置されており、該バーナーの配置位置が、バーナー炎噴射方向が該固定床炉の火格子と水平方向で平行となる位置であることを特徴とするＰＣＢ含有物の処理装置。
【請求項６】
ＰＣＢ含有物をバーナーにより５５０℃〜８５０℃で１時間以上加熱してＰＣＢを連続的に揮発し、除去する連続炉と、
該連続炉の上方に、炉内のガスを排出するガス排出口と、を有するＰＣＢ含有物の処理装置であって、
前記連続炉が、昇温待機室と、昇温部と、保持部と、冷却待機室とからなり、昇温待機室と昇温部との間、及び冷却待機室と保持部の間に開閉可能な扉を有することを特徴とするＰＣＢ含有物の処理装置。
【請求項７】
連続炉における保持部に、バーナーが配置されている請求項６に記載のＰＣＢ含有物の処理装置。
【請求項８】
８５０℃で４時間〜８時間加熱する請求項５から７のいずれかに記載のＰＣＢ含有物の処理装置。
【請求項９】
ＰＣＢ含有物が電気機器であり、該電気機器が、トランス、及びＯＦケーブル（油浸紙絶縁ケーブル）の少なくともいずれかである請求項５から８のいずれかに記載のＰＣＢ含有物の処理装置。
【請求項１０】
ガス排出口が、ＰＣＢを分解処理する排ガス処理手段のガス導入口と連結されている請求項５から９のいずれかに記載のＰＣＢ含有物の処理装置。
【発明の詳細な説明】
【技術分野】
【０００１】
本発明は、微量にＰＣＢが混入又は含まれる廃棄電気機器等を安全に処理できるＰＣＢ含有物の処理方法及びＰＣＢ含有物の処理装置に関する。
【背景技術】
【０００２】
ポリ塩化ビフェニル（ＰＣＢ）については昭和４７年から新たな製造が禁止されたが、それまでに製造された高圧トランス及び高圧コンデンサ等が廃棄物となったものの処理体制の整備が著しく停滞していたため、長期にわたり処分されていなかった。
こうした状況において、廃棄物の紛失等による環境汚染についての懸念を踏まえ、平成１３年にＰＣＢ特措法が制定され、環境事業団（後の日本環境安全事業株式会社）による拠点的広域処理施設での処理体制が整備されてきた。
ＰＣＢ特措法施行令ではＰＣＢ含有廃棄物を所有する事業者に対し、平成２８年までに処理を完了するか、委託することを義務付けている。
【０００３】
一方、平成１４年７月に、ＰＣＢを使用していないとする電気機器等に数十ｐｐｍ程度のＰＣＢに汚染された絶縁油を含むものが存在することが確認された。その量は電気機器が約１２０万台、ＯＦケーブル１，４００ｋｍに上るとの推計があり、このような微量ＰＣＢ混入廃電気機器等の処理について、技術的に安全、確実で、かつ廃棄物の特性をふまえた処理方策に係る検討が求められている。
このため、トランス等の電気機器に使用されているＰＣＢを処理する技術が種々開発されている（特許文献１及び２参照）。
上記従来のＰＣＢ処理方法では、安全が重要視される。一方、処理コスト増大の懸念から、装置建設費、処理コストが安いことが産業界では求められている。
【先行技術文献】
【特許文献】
【０００４】
【特許文献１】特開平９−７９５３１号公報
【特許文献２】特開２００２−２４８４５５号公報
【発明の概要】
【発明が解決しようとする課題】
【０００５】
本発明は、従来における諸問題を解決し、以下の目的を達成することを課題とする。即ち、本発明は、電気機器に付着している微量ＰＣＢ含有絶縁油を揮発させ、その燃焼ガスを排ガス処理手段で焼却する加熱分離処理方式を採用することにより、微量ＰＣＢ含有廃棄電気機器を効率よく安全に処理することができるＰＣＢ含有物の処理方法及びＰＣＢ含有物の処理装置を提供することを目的とする。
【課題を解決するための手段】
【０００６】
前記課題を解決するため本発明者が鋭意検討を重ねた結果、電気機器に付着している微量ＰＣＢ含有絶縁油をバッチ炉又は連続炉で揮発させ、その燃焼ガスを排ガス処理手段で焼却する加熱分離処理方式を採用することにより、微量ＰＣＢ含有廃棄電気機器を効率よく安全に処理できることを知見した。
【０００７】
本発明は、本発明者による前記知見に基づくものであり、前記課題を解決するための手段としては以下の通りである。即ち、
＜１＞  ＰＣＢ含有物に含まれるＰＣＢ含有液を、固定床炉にて５５０℃〜８５０℃で１時間以上加熱して、ＰＣＢ含有物からＰＣＢ含有液とともにＰＣＢを揮発し、除去することを特徴とするＰＣＢ含有物の処理方法である。
＜２＞  ＰＣＢ含有物に含まれるＰＣＢ含有液を、連続炉にて５５０℃〜８５０℃で１時間以上加熱して、ＰＣＢ含有物からＰＣＢ含有液とともにＰＣＢを揮発し、除去することを特徴とするＰＣＢ含有物の処理方法である。
＜３＞  ８５０℃で４時間〜８時間加熱する前記＜１＞から＜２＞のいずれかに記載のＰＣＢ含有物の処理方法である。
＜４＞  ＰＣＢ含有物が電気機器であり、該電気機器がトランス、及びＯＦケーブル（油浸紙絶縁ケーブル）の少なくともいずれかである前記＜１＞から＜３＞のいずれかに記載のＰＣＢ含有物の処理方法である。
＜５＞  ＰＣＢ含有物を加熱して揮発処理する固定床炉と、
該固定床炉の上方に、炉内のガスを排出するガス排出口と、
該ガス排出口より下方に、ＰＣＢ含有物を貯留する火格子と、を有するＰＣＢ含有物の処理装置であって、
前記火格子の面が複数の孔を有してなり、該火格子の下方には、固定床炉内を加熱するバーナーが配置されており、該バーナーの配置位置が、バーナー炎噴射方向が該固定床炉の火格子と水平方向で平行となる位置であることを特徴とするＰＣＢ含有物の処理装置である。
＜６＞  ＰＣＢ含有物をバーナーにより５５０℃〜８５０℃で１時間以上加熱してＰＣＢを連続的に揮発し、除去する連続炉と、
該連続炉の上方に、炉内のガスを排出するガス排出口と、を有するＰＣＢ含有物の処理装置であって、
前記連続炉が、昇温待機室と、昇温部と、保持部と、冷却待機室とからなり、昇温待機室と昇温部との間、及び冷却待機室と保持部の間に開閉可能な扉を有することを特徴とするＰＣＢ含有物の処理装置である。
＜７＞  連続炉における保持部に、バーナーが配置されている前記＜６＞に記載のＰＣＢ含有物の処理装置である。
＜８＞  ８５０℃で４時間〜８時間加熱する前記＜５＞から＜７＞のいずれかに記載のＰＣＢ含有物の処理装置である。
＜９＞  ＰＣＢ含有物が電気機器であり、該電気機器が、トランス、及びＯＦケーブル（油浸紙絶縁ケーブル）の少なくともいずれかである前記＜５＞から＜８＞のいずれかに記載のＰＣＢ含有物の処理装置である。
＜１０＞  ガス排出口が、ＰＣＢを分解処理する排ガス処理手段のガス導入口と連結されている前記＜５＞から＜９＞のいずれかに記載のＰＣＢ含有物の処理装置である。
【発明の効果】
【０００８】
本発明によると、従来における諸問題を解決することができ、電気機器に付着している微量ＰＣＢ含有絶縁油を揮発させ、その燃焼ガスを排ガス処理手段で焼却する加熱分離処理方式を採用することにより、微量ＰＣＢ含有廃棄電気機器を効率よく安全に処理することができるＰＣＢ含有物の処理方法及びＰＣＢ含有物の処理装置を提供することができる。
【図面の簡単な説明】
【０００９】
【図１】図１は、一般的なトランスの構造を示す一部断面図である。
【図２】図２は、ＯＦケーブルの概略断面図である。
【図３】図３は、本発明のＰＣＢ含有物の処理装置における固定床炉の立面断面図である。
【図４】図４は、本発明のＰＣＢ含有物の処理装置における固定床炉の上方からの平面図である。
【図５】図５は、本発明のＰＣＢ含有物の処理装置の一例を示す概略図である。
【図６】図６は、本発明のＰＣＢ含有物の処理方法の一例を示す処理工程フローである。
【図７】図７は、本発明のＰＣＢ含有物の処理装置における連続炉の概略図である。
【発明を実施するための形態】
【００１０】
（第１形態のＰＣＢ含有物の処理方法及びＰＣＢ含有物の処理装置）
本発明の第１形態のＰＣＢ含有物の処理方法は、ＰＣＢ含有物に含まれるＰＣＢ含有液を、固定床炉にて５５０℃〜８５０℃で１時間以上加熱して、ＰＣＢ含有物からＰＣＢ含有液とともにＰＣＢを揮発し、除去するものである。
本発明の第１形態のＰＣＢ含有物の処理装置は、ＰＣＢ含有物を加熱する固定床炉と、
該固定床炉の上方に、炉内のガスを排出するガス排出口と、
該ガス排出口より下方に、ＰＣＢ含有物を貯留する火格子と、を有してなり、排ガス処理手段、更に必要に応じてその他の手段を有してなる。
前記火格子の面が複数の孔を有してなり、該火格子の下方には、固定床炉内を加熱するバーナーが配置されており、該バーナーの配置位置が、バーナー炎噴射方向が該固定床炉の火格子と水平方向で平行となる位置である。
以下、本発明の第１形態のＰＣＢ含有物の処理方法及び第１形態のＰＣＢ含有物の処理装置について詳細に説明する。
【００１１】
＜固定床炉＞
前記固定床炉には、炉内の雰囲気が漏れないこと、温度、雰囲気が制御できること、炉内に燃焼中のガスが滞留しないことなどの安全性が求められる。廃棄物を処理するからである。また、廃棄物を装入、処理後の排出も簡便かつ安全にできることが求められる。
前記固定床炉においては、ＰＣＢを含む廃棄物、又はそれを投入したドラム缶を処理する。このため、炉は、側面において炉内に処理物を導入できる開閉自在の扉を有し、上方には炉内のガスを排出するガス排出口を備える。該ガス排出口は、ロータリーキルンのガス導入口と連結されている。
全体の筐体枠組は、鋼等からなり、焼却室は、耐火レンガ等により築炉されている。また、温度制御、雰囲気制御のためセンサーが配置されている。
【００１２】
前記固定床炉内は、炉内の発生ガス等を炉外に排出する排出口が上方にあり、その下方に、廃棄物等を貯留する固定の火格子があり、火格子の下方、炉床より上方にバーナーが配置されている。
バーナーの火炎が直接に火格子に当たらない距離にて設計、設定される。バーナーの火炎が火格子（火格子の下方面）に極力接しないほうがよい、このためバーナーの火炎噴射方向は、火格子の面に対し、水平にて平行方向となるように設置する。
前記火格子は、下方に配置されているバーナーの熱等を火格子より上方へ通過、伝熱するため複数の孔を設ける。孔パターンは、ほぼ炉床全面にあるほうがよい。特にドラム缶等に廃棄物を投入し、ドラム缶ごと処理する場合は、ドラム缶内への伝熱が重要となる。
しかし、あまり急激に温度が上昇するとＰＣＢ等の揮発が大きくなるため、伝熱も制御できることが望ましい。火格子においては複数の孔により該制御が可能となっている。火格子は水冷管などを具備し、火格子の上に搭載された処理物の急激な温度上昇を防止でき、安全に処理可能となる。例えば、ドラム缶内にある液が下側から急激に熱が伝わると、ドラム缶内で液が沸騰、予期せぬ液漏れを防止できる。火格子の孔があり、格子状であることから廃棄物の底面の変形やいびつな形状、ドラム缶のゆがみなどの影響が少なく、安定して搭載、貯留できる。このため、安全にかつ、簡便に廃棄物を炉内に搭載、貯留及び処理可能となっている。
ＰＣＢ含有物、廃棄物などを一端、容器に収納し、処理する場合に適している。例として、ＰＣＢを含有した物をドラム缶に収納し、該ドラム缶の上方を開放した状態で、炉内に搭載し、加熱処理する。確実にＰＣＢ等の分離処理ができるのは、ドラム缶内にて雰囲気が急激なガス流や、温度変化を伴わない、安定した加熱状態を処理時間にわたって維持可能としているためである。トランスの筐体も上方を開放することで上記のようなドラム缶と同様な効果が得られる。
開閉自在な扉には、油圧等により扉を押し、確実に密閉する。なお、炉内圧力（焼却ガスなどによる）は、排ガス口から常にガスを吸引するため、外部の大気圧に対しては負圧となっており、炉内のガスの漏洩はない。
【００１３】
ここで、図３は、固定床炉の立面断面図である。図４は、固定床炉の上方からの平面図である。図５は、本発明のＰＣＢ含有物の処理装置の概略図である。
この図５のＰＣＢ含有物の処理装置は、固定床炉１０１と、排ガス処理手段１０２としてのロータリーキルン炉とが煙道１０３で連結されている。
前記固定床炉１０１は、炉内の発生ガス等を炉外に排出するガス排出口が上方にあり、その下方に、廃棄物等を貯留する固定の炉床があり、炉床の下方にバーナーが配置されている。バーナーの炎が直接に火格子にあたらない距離にて設計、設定される。
バーナーは、側面の対で対向面に２個所それぞれ設置し、炉内の熱の供給を均一化している。バーナー炎の噴射方向は、火格子面、炉床面に対して平行である。
火格子は、下方に配置されているバーナーの熱等を通過、伝熱するため複数の孔を設けてある。孔パターンは、ほぼ火格子全面にある。
火格子においては複数の孔により該制御が可能となっている。また、廃棄物の底面の変形やいびつな形状、ドラム缶のゆがみなどの影響が少なく、安定して設置、貯留できる。このため、安全にかつ、簡便に廃棄物を炉内に設置、貯留可能となっている。
開閉自在な扉には、油圧等により扉を押し、確実に密閉する。なお、炉内圧力（焼却ガスなどによる）は、排ガス口から常にガスを吸引するため、外部の大気圧に対しては負圧となっており、炉内のガスの漏洩はない。
【００１４】
前記排ガス処理手段１０２は、ロータリーキルンであり、排ガス処理装置をも備えている。ロータリーキルンの入り口から排ガスを導入することが好ましい。排ガスの燃焼をロータリーキルンで制御しやすくするためである。
前記煙道１０３は、高温のガスに耐え、ガス等の漏れがない。
【００１５】
（第２形態のＰＣＢ含有物の処理方法及びＰＣＢ含有物の処理装置）
本発明の第２形態のＰＣＢ含有物の処理方法は、ＰＣＢ含有物に含まれるＰＣＢ含有液を、連続的に揮発処理する連続炉にて５５０℃〜８５０℃で１時間以上加熱して、ＰＣＢ含有物からＰＣＢ含有液とともにＰＣＢを揮発し、除去する。
本発明の第２形態のＰＣＢ含有物の処理装置は、ＰＣＢ含有物をバーナーにより５５０℃〜８５０℃で１時間以上加熱してＰＣＢを連続的に揮発し、除去する連続炉と、
該連続炉の上方に、炉内のガスを排出するガス排出口とを有してなり、排ガス処理手段、更に必要に応じてその他の手段を有してなる。
前記連続炉が、昇温待機室と、昇温部と、保持部と、冷却待機室とからなり、昇温待機室と昇温部との間、及び冷却待機室と保持部の間に開閉可能な扉を有する。
第２形態の連続炉によれば、第１形態のバッチ処理に比べて温度の上げ下げのロスがなく、大量処理が可能となり、バーナーの燃料量を減らすことができる。また、燃焼ガスの発生量も減らすことができる。
以下、本発明の第２形態のＰＣＢ含有物の処理方法及び第２形態のＰＣＢ含有物の処理装置について詳細に説明する。
【００１６】
＜連続炉＞
前記連続炉としては、特に制限はなく、処理物のサイズ、形状に応じて、適宜炉の形状、炉内容積を選択することができる。
前記連続炉は、昇温待機室と、昇温部と、保持部と、冷却待機室とからなり、昇温待機室と昇温部との間、及び冷却待機室と保持部の間に開閉可能な扉を有するものが挙げられる。このような扉を設けることにより、外部と遮断することができ、連続炉内の温度変化を少なくすることができる。
連続炉における保持部には、バーナーが配置されており、保持部の上方又は下方に配置することが好ましい。
ＰＣＢ含有物をドラム缶に収納し、該ドラム缶の上方を開放した状態で台車上に載せて、連続加熱処理する。
前記台車は、処理物の大きさ、形状に応じ適宜選択することができる。
前記連続炉における、ＰＣＢ含有物の搬送は、プッシャーにより行うことができ、台車の搬送速度は炉内温度が極端に低下しないように、速やかに搬入できることが好ましい。
【００１７】
ここで、図７は、本発明のＰＣＢ含有物の処理装置における連続炉の一例を示す概略図である。
この図７の連続炉は、昇温待機室１１と、昇温部１２と、保持部１３と、冷却待機室１４とを備えている。
昇温待機室１１と昇温部１２との間、及び冷却待機室１４と保持部１３の間には、油圧等により開閉可能な稼動扉１７を有している。
抜油したトランス、及び切断したＯＦケーブルは台車１６上のドラム缶内に入れ、連続炉昇温待機室から、昇温部でバーナー２１により昇温し、炉内が８５０℃になってから保持部１３において８時間温度を保持し、冷却待機室で冷却される。なお、台車は図中矢印方向に一定の速度で搬送される。
バーナー２１としては、炉内を５５０℃〜８５０℃に保つことができるものを選定する。また、炉内温度を微調整できる機能を有していることが好ましい。
この連続炉は、保持部の上方に、排ガス処理手段としてのロータリーキルン炉２２とが煙道２３で連結されている。
【００１８】
前記固定床炉又は連続炉内では、ＰＣＢ含有物に含まれるＰＣＢ含有液を５５０℃〜８５０℃で１時間以上加熱して、ＰＣＢ含有物からＰＣＢ含有液とともにＰＣＢを揮発させる。該加熱は５５０℃〜８５０℃で４時間〜８時間であることが好ましく、８５０℃で４時間〜８時間であることがより好ましい。
前記加熱温度が、５５０℃未満であると、油分などの揮発が進まないことがあり、８５０℃を超えると、処理費の必要以上な増大を招来してしまうことがある。
前記加熱処理は、酸化雰囲気下で行うことが、焼却残物の量（質量、体積）が減量する点で好ましい。炉内の酸素濃度は１０％以上であることが好ましい。
前記加熱の際の昇温条件は、ある程度一定の昇温幅であることが、燃焼ガスの発生量を一定に制御できる点で好ましい。
【００１９】
＜排ガス処理及び排ガス処理手段＞
前記排ガス処理は、固定床炉又は連続炉から排出される排ガスを無害なガスとする処理である。排ガスを高温にて燃焼し、排ガス中の有機成分を分解し、更に含まれる酸、アルカリ性の成分（金属）、粉塵などを中和、除去し、清浄なガスとする。
このため、燃焼、冷却、中和、及び集塵手段を備えていることが好ましい。固定床炉又は連続炉からの排ガスは、廃棄物を焼却処理するロータリーキルン、もしくは、十分な温度及び滞留時間を得ることができる燃焼室に導入する。特に、ロータリーキルンの廃棄物投入口の近傍がよい。ロータリーキルンに排ガスを導入すれば燃焼が確実に行われ、安全に処理ができ、更に廃棄物処理用のため排ガス処理装置、プロセスも十分に機能を備えている。
前記排ガス処理は排ガス処理手段により実施される。
前記排ガス処理手段としては、特に制限はなく、目的に応じて適宜選択することができるが、例えばロータリーキルン、更には、ガス燃焼炉、冷却塔、中和、集塵機、煙突をそなえていることなどが挙げられる。
前記排ガス処理は、８５０℃〜１，１００℃の温度で２秒間以上行うことが好ましく、１０００℃〜１１００℃以上で２秒間以上行うことがより好ましい。
【００２０】
＜ＰＣＢ含有物＞
本発明のＰＣＢ含有物の処理方法及びＰＣＢ含有物の処理装置における、ＰＣＢ含有物としては、電気機器であり、該電気機器としては、トランス及びＯＦケーブル（油浸紙絶縁ケーブル）の少なくともいずれかであることが好ましい。
【００２１】
−トランス−
図１は、一般的なトランスの構造を示す一部断面図である。図１に示すように、トランス２００は、鉄心２０１に対して銅コイル２０２を巻いたトランスコア２０３を鉄製の容器２０４内に収納した構成であり、絶縁油２０５としてＰＣＢを内部に封入したものである。また、銅コイル２０２は、銅線に絶縁紙を巻き付けた構成であり、鉄枠２０７上部には碍子２０８が設けられている。また、容器２０４の開口部は蓋２０９により密封されている。一般的なトランスの容量範囲は、５〜１３３ｋＶＡであり、本発明ではすべての範囲において処理ができる。
トランス２００では、ＰＣＢ含有油を液抜きした後に、上方を開放した状態で加熱炉内にて処理する。
【００２２】
−ＯＦケーブル−
ＯＦケーブル（油浸紙絶縁ケーブル）は、図２に示すように、油通路となるメタルスパイラル１と、このメタルスパイラル１の外周には銅線等の導体２と、この導体２上にはカーボン紙を巻回してなる遮蔽層３が設けられ、この遮蔽層３上には油浸絶縁体４が設けられている。この油浸絶縁体４上には、銅、アルミニウム等のメタルテープを巻回してなる遮蔽層５が設けられる。この遮蔽層５上には鉛又はＡｌ（アルミニウム）６が被覆され、更にポリ塩化ビニル，クロロプレンゴムなどからなる防食層７が設けられている。
前記メタルスパイラル１は、亜鉛メッキ鋼板からなる鋼帯をスパイラル状に巻き付け、波付け加工を施したパイプ状のものであって、その内部空間は絶縁油の通路となるようになっている。
前記導体２は、六分割圧縮中空撚線からなるもので、複数の銅線を撚り合せ、扇状に圧縮成形したユニットを６個上記メタルスパイラル１の外周に配置したものである。
前記油浸絶縁体４は、絶縁紙としてポリプロピレンフィルムの両面にクラフト紙を貼り合せて得られたポリプロピレンフィルムラミネート紙を用い、これを巻回し、絶縁油を含浸してなるものである。
【００２３】
前記ＯＦケーブルは所定の長さに切断した切断ケーブル片の形で用いられる。該切断は断面が露出するようにケーブルの軸方向に垂直に切断する（輪切り切断する）。
前記切断ケーブル片の長さは、焼却炉内に略鉛直方向に立設可能であれば特に制限はなく、目的に応じて適宜選択することができるが、０．３ｍ〜１．０ｍが好ましく、０．７ｍが特に好ましい。
切断されたケーブは、容器に入れる方がよい。前記容器は、焼却炉内にて熱等に耐える材質のものが好ましく、例えば鉄等がある。貯留する容器の形状は、上方が開放され、底面と側面が形成されケーブルを立設して貯留できる形状が適している。例として上方が開放されたスチールドラム缶などがある。上方が開放されていないと熱よる発生するガスが抜けずにケーブルに残留するためである。また、作業性も上方から投入でき、投入状態を視認でき、修正しやすく優れている。
容器内にて処理をすることで、金属回収が容器毎に効率良くできるので作業面、及び回収面で有意である。
【００２４】
本発明によれば、低濃度ＰＣＢの絶縁油を抜き取った後のＰＣＢ汚染物である、抜油したトランス及びＯＦケーブル等の電気機器は、図３〜図５に示すＰＣＢ含有物の処理装置を用いて、図６に示すＰＣＢ含有物の処理工程フローで処理され、微量ＰＣＢ含有廃棄電気機器を効率よく安全に処理できる。
【００２５】
処理済みのトランスは、解体し、ケースは、電炉や転炉のスクラップ源として利用される。ケースから取り出されたトランスコアは、モービルシャーにより銅コイルを切断し、コイル線とコアを分離する。分離したコアのうち、特別管理産業廃棄物の判定基準を満たす場合は、スクラップ源としてそのまま利用することができる。
また、分離した銅コイルや可燃物は、誘導炉に装入し、可燃物を燃焼させ、銅コイルを溶融し、銅としてリサイクルすることができる。
【実施例】
【００２６】
以下、本発明の実施例を説明するが、本発明は、これらの実施例に何ら限定されるものではない。
【００２７】
（実施例１）
低濃度ＰＣＢの絶縁油を抜き取った後のＰＣＢ汚染物である、抜油したトランス及びＯＦケーブルを、図３〜図５に示すＰＣＢ含有物の処理装置（固定炉）を用いて、図６に示す処理工程フローでＰＣＢ処理を行った。
具体的には、抜油したトランス、及び長さ０．７ｍに切断したＯＦケーブルをドラム缶内に入れ、固定床炉に投入後、Ａ重油バーナーにより昇温し、炉内が８５０℃になってから８時間温度を保持した。この際、固定床炉内へのエアー投入は極力少なくし、バーナーの油燃焼分のみを投入した。
この固定床炉の排ガスは、煙道により連結されている焼却処理手段（ロータリーキルン炉及び排ガス処理装置）により、１１００℃で２秒の滞留時間で処理し、適正に排ガス処理をした。
処理後のトランス及びＯＦケーブルのＰＣＢ濃度をガスクロマトグラフ法により測定した。
【００２８】
−加熱試験炉サイズ−
・炉内容積：５．５ｍ３
【００２９】
−扉、煙道、バーナー等−
・扉開閉方式
電動ホイストによる昇降式（外側より油圧ユニットによる押さえつけで密閉性が向上する）である。
・煙道
内径４００ｍｍ、接続場所：現燃焼エアー用ダクト接続位置
・バーナー：メカニカルガンバーナー
昇温用バーナー及び温度コントロール用バーナーの２本設置
・火格子
内部に水を循環させる水冷ジャケット方式
【００３０】
その結果、固定床炉でのガス発生量を抑えた、圧力損失の少ないＰＣＢ含有物の処理が効率よく行えることが分かった。
また、処理後のトランス及びＯＦケーブルからはＰＣＢは検出されず、無害化できていることが分かった。
【００３１】
（実施例２）
低濃度ＰＣＢの絶縁油を抜き取った後のＰＣＢ汚染物である、抜油したトランス及びＯＦケーブルを、図７に示すＰＣＢ含有物の処理装置（連続炉）を用いて、連続的にＰＣＢ処理を行った。
具体的には、抜油したトランス、及びＯＦケーブルを台車上の缶内に入れ、連続炉に投入後、Ａ重油バーナーにより昇温し、炉内が８５０℃になってから８時間温度を保持した。この際、固定床炉内へのエアー投入は極力少なくし、バーナーの油燃焼分のみを投入した。
この連続炉の排ガスは、煙道により連結されている焼却処理手段（ロータリーキルン炉及び排ガス処理装置）により、１１００℃で２秒の滞留時間で処理し、適正に排ガス処理をした。処理後のトランス及びＯＦケーブルのＰＣＢ濃度をガスクロマトグラフ法により測定した。
【００３２】
−連続炉−
連続炉はラボレベルの試験炉を作製し、試験を行った。
−扉、煙道、バーナー等−
・扉開閉方式
電動ホイストによる昇降式（外側より油圧ユニットによる押さえつけで密閉性が向上する）である。
・煙道
接続場所：現燃焼エアー用ダクト接続位置
・バーナー：
炉内を５５０℃〜８５０℃に保つことができるバーナーを選定した。
【００３３】
その結果、連続炉でのガス発生量を抑えた、圧力損失の少ないＰＣＢ含有物の処理が効率よく行えることが分かった。
また、処理後のトランス及びＯＦケーブルからはＰＣＢは検出されず、無害化できていることが分かった。
【産業上の利用可能性】
【００３４】
本発明のＰＣＢ含有物の処理方法及びＰＣＢ含有物の処理装置は、トランス及びＯＦケーブル（油浸紙絶縁ケーブル）等の廃棄電気機器に付着している微量ＰＣＢ含有絶縁油を効率よく安全に処理することができる。
【符号の説明】
【００３５】
１１      昇温待機室
１２      昇温部
１３      保持部
１４      冷却待機部
１６      台車
１７      稼動壁
２１      バーナー
２２      排ガス処理手段
２３      煙道
１０１      固定床炉
１０２      排ガス処理手段
１０３      煙道
【図７】
2010115638.tif 000003
【図１】
2010115638.tif 000004
【図２】
2010115638.tif 000005
【図３】
2010115638.tif 000006
【図４】
2010115638.tif 000007
【図５】
2010115638.tif 000008
【図６】
2010115638.tif 000009